(57)【要約】【課題】第１プロテクタを第２プロテクタに対してなるべく高い強度で固定できるようにすることを目的とする。【解決手段】プロテクタ１８は、曲げ部２６を介して連続する２つの長尺部２４、２５を含み、内部に配線材１２を収容可能な第１プロテクタ２０と、内部に別の配線材１４を収容可能な第２プロテクタ５０とを備える。第１プロテクタ２０の２つの長尺部２４の一方に第１固定部３０が設けられると共に、他方に第２固定部４０が設けられる。第２プロテクタ５０に、第１固定部３０を固定可能な第１相手側固定部６０が設けられると共に、第２固定部４０を固定可能な第２相手側固定部７０が設けられている。【選択図】図１
2016185016.tif 000002
【特許請求の範囲】
【請求項１】
曲げ部を介して連続する２つの長尺部を含み、内部に配線材を収容可能な第１プロテクタと、
内部に別の配線材を収容可能な第２プロテクタと、
を備え、
前記第１プロテクタの前記２つの長尺部の一方に第１固定部が設けられると共に他方に第２固定部が設けられ、
前記第２プロテクタに、前記第１固定部を固定可能な第１相手側固定部が設けられると共に、前記第２固定部を固定可能な第２相手側固定部が設けられている、プロテクタ。
【請求項２】
請求項１に記載のプロテクタであって、
前記第２プロテクタが、曲げ部を介して連続する２つの長尺部を含み、
前記第２プロテクタの前記２つの長尺部の一方に前記第１相手側固定部が設けられると共に、他方に前記第２相手側固定部が設けられている、プロテクタ。
【請求項３】
請求項１又は請求項２に記載のプロテクタであって、
前記第１固定部と前記第１相手側固定部の一方が、スライド溝が形成されたスライド受部であり、他方が前記スライド溝にスライド挿入されるスライド挿入部であり、
前記第１固定部と前記第１相手側固定部の一方が、ロック受部であり、他方が前記スライド受部に対する前記スライド挿入部のスライド挿入方向に沿って前記ロック受部に押込まれて前記ロック受部に係止固定するロック部であり、
前記スライド受部における前記スライド挿入部の挿入側端部及び前記ロック受部における前記ロック部の押込側端部の位置が、前記スライド受部に対する前記スライド挿入部の挿入開始タイミングと、前記ロック受部に対する前記ロック部の押込み開始タイミングとがずれる位置関係となるように設定されている、プロテクタ。
【請求項４】
請求項３に記載のプロテクタであって、
前記スライド受部は、前記スライド挿入部のスライド挿入方向の一部においてそのスライド挿入方向の一側に設けられた一側スライドガイド部と、前記スライド挿入部のスライド挿入方向の残部においてそのスライド挿入方向の他側に設けられた他側スライドガイド部とを含み、
前記スライド挿入部は、前記一側スライドガイド部及び前記他側スライドガイド部に接しつつ前記スライド受部にスライド挿入される、プロテクタ。
【請求項５】
請求項１〜請求項４のいずれか１項に記載のプロテクタと、
前記第１プロテクタ内に収容された配線材と、
前記第２プロテクタ内に収容された別の配線材と、
を備えるプロテクタ付配線モジュール。
【発明の詳細な説明】
【技術分野】
【０００１】
この発明は、配線材を覆うプロテクタに関する。
【背景技術】
【０００２】
特許文献１は、メイン・ワイヤハーネスを分割して分割ワイヤハーネスを形成し、これら分割ワイヤハーネスの分割部分を各々プロテクタに収容し、これらプロテクタを着脱自在に連結する固定手段で一体化したワイヤハーネスを開示している。特許文献１では、一方のプロテクタにクリップを突設し、他方のプロテクタにクリップ孔を形成し、クリップをクリップ孔に挿入係止して、両プロテクタを一体化する構成を開示している。
【先行技術文献】
【特許文献】
【０００３】
【特許文献１】特開平９−１１８２１号公報
【発明の概要】
【発明が解決しようとする課題】
【０００４】
しかしながら、特許文献１に開示の技術によると、クリップをクリップ孔に挿入係止して、両プロテクタを一体化する構成であるため、その固定強度が小さい。特に、一方のプロテクタに対して他方のプロテクタをねじる力が作用すると、一方のプロテクタに対して他方のプロテクタが傾いてしまったりする恐れがある。
【０００５】
そこで、本発明は、第１プロテクタを第２プロテクタに対してなるべく高い強度で固定できるようにすることを目的とする。
【課題を解決するための手段】
【０００６】
上記課題を解決するため、第１の態様に係るプロテクタは、曲げ部を介して連続する２つの長尺部を含み、内部に配線材を収容可能な第１プロテクタと、内部に別の配線材を収容可能な第２プロテクタとを備え、前記第１プロテクタの前記２つの長尺部の一方に第１固定部が設けられると共に他方に第２固定部が設けられ、前記第２プロテクタに、前記第１固定部を固定可能な第１相手側固定部が設けられると共に、前記第２固定部を固定可能な第２相手側固定部が設けられているものである。
【０００７】
第２の態様は、第１の態様に係るプロテクタであって、前記第２プロテクタが、曲げ部を介して連続する２つの長尺部を含み、前記第２プロテクタの前記２つの長尺部の一方に前記第１相手側固定部が設けられると共に、他方に前記第２相手側固定部が設けられているものである。
【０００８】
第３の態様は、第１又は第２の態様に係るプロテクタであって、前記第１固定部と前記第１相手側固定部の一方が、スライド溝が形成されたスライド受部であり、他方が前記スライド溝にスライド挿入されるスライド挿入部であり、前記第１固定部と前記第１相手側固定部の一方が、ロック受部であり、他方が前記スライド受部に対する前記スライド挿入部のスライド挿入方向に沿って前記ロック受部に押込まれて前記ロック受部に係止固定するロック部であり、前記スライド受部における前記スライド挿入部の挿入側端部及び前記ロック受部における前記ロック部の押込側端部の位置が、前記スライド受部に対する前記スライド挿入部の挿入開始タイミングと、前記ロック受部に対する前記ロック部の押込み開始タイミングとがずれる位置関係となるように設定されているものである。
【０００９】
第４の態様は、第３の態様に係るプロテクタであって、前記スライド受部は、前記スライド挿入部のスライド挿入方向の一部においてそのスライド挿入方向の一側に設けられた一側スライドガイド部と、前記スライド挿入部のスライド挿入方向の残部においてそのスライド挿入方向の他側に設けられた他側スライドガイド部とを含み、前記スライド挿入部は、前記一側スライドガイド部及び前記他側スライドガイド部に接しつつ前記スライド受部にスライド挿入されるものである。
【００１０】
第５の態様に係るプロテクタ付配線モジュールは、第１〜第４のいずれか１つの態様に係るプロテクタと、前記第１プロテクタ内に収容された配線材と、前記第２プロテクタ内に収容された別の配線材とを備える。
【発明の効果】
【００１１】
第１〜第５の態様によると、第１プロテクタと第２プロテクタとは、第１固定部と第１相手側固定部との固定構造、及び、第２固定部と第２相手側固定部との固定構造を介して固定される。しかも、第１固定部と第１相手側固定部との固定位置は、２つの長尺部の他方の延在方向から側方にずれた配設され、第２固定部と第２相手側固定部との固定位置は、２つの長尺部の他方の延在方向から側方にずれた配設される。このため、２つの長尺部の一方を傾けようとする力は第２固定部によって効果的に受止められ、２つの長尺部の他方を傾けようとする力は第１固定部によって効果的に受止められる。これにより、第１プロテクタを第２プロテクタに対してなるべく高い強度で固定できる。
【００１２】
第２の態様によると、第１プロテクタと第２プロテクタとをほぼ同じ経路に沿って配設することができる。
【００１３】
第３の態様によると、スライド受部に対するスライド挿入部の挿入作業と、ロック受部に対するロック部の押込作業とを別々のタイミングで行えるため、それらの各作業を容易に行える。
【００１４】
第４の態様によると、前記一側スライドガイド部及び前記他側スライドガイド部によって、スライド挿入部をスライド可能に支持することができる。また、一側スライドガイド部は、前記スライド挿入部のスライド挿入方向の一部に設けられ、他側スライドガイド部は、前記スライド挿入部のスライド挿入方向の残部に設けられている。このため、スライド受部を幅方向にそって見た場合において、一側スライドガイド部と他側スライドガイド部とが重ならない。これにより、スライド受部を金型成形する際の金型設計上の制約を少なくすることができる。
【図面の簡単な説明】
【００１５】
【図１】実施形態に係るプロテクタ付配線モジュールを示す斜視図である。
【図２】同上のプロテクタ付配線モジュールを示す平面図である。
【図３】図２のＩＩＩ−ＩＩＩ線断面図である。
【図４】図３の部分拡大図である。
【図５】図２のＶ−Ｖ線断面図である。
【図６】図５の部分拡大図である。
【図７】第１プロテクタを示す斜視図である。
【図８】第１固定部を示す斜視図である。
【図９】第２固定部を示す斜視図である。
【図１０】第２プロテクタを示す斜視図である。
【図１１】第２相手側固定部を示す斜視図である。
【図１２】スライド受部に対してスライド挿入部がスライド挿入されるタイミングと、ロック受部に対してロック部が押込されるタイミングとの関係を示す説明図である。
【図１３】スライド受部に対してスライド挿入部がスライド挿入されるタイミングと、ロック受部に対してロック部が押込されるタイミングとの関係を示す説明図である。
【図１４】スライド受部に対してスライド挿入部がスライド挿入されるタイミングと、ロック受部に対してロック部が押込されるタイミングとの関係を示す説明図である。
【発明を実施するための形態】
【００１６】
以下、実施形態に係るプロテクタ付配線モジュール及びプロテクタについて説明する。図１はプロテクタ付配線モジュール１０を示す斜視図であり、図２は同プロテクタ付配線モジュール１０を示す平面図であり、図３は図２のＩＩＩ−ＩＩＩ線断面図であり、図４は図３の部分拡大図であり、図５は図２のＶ−Ｖ線断面図であり、図６は図５の部分拡大図である。
【００１７】
プロテクタ付配線モジュール１０は、第１プロテクタ２０と第２プロテクタ５０とを含むプロテクタ１８と、第１プロテクタ２０内に収容された配線材１２と、第２プロテクタ５０内に収容された配線材１４とを備える。
【００１８】
第１プロテクタ２０は、樹脂等によって形成されており、この内部に配線材１２が収容されている。第１プロテクタ２０は、配線材１２の配設経路に応じて曲った形状に形成されている。
【００１９】
第２プロテクタ５０は、樹脂等によって形成されており、この内部に配線材１２とは別の配線材１４が収容されている。この第２プロテクタ５０は、配線材１４の配設経路に応じて曲った形状に形成されている。
【００２０】
上記配線材１２、１４は、車両における同一電気機器間を接続する配線材であるため、第１プロテクタ２０及び第２プロテクタ５０は、同じ配設経路に沿って配設される。このため、第１プロテクタ２０及び第２プロテクタ５０は、配線材１２、１４の端部の接続位置の違い、配設経路の内周側を通るか外周側を通るか等による違いを除いて、同様の曲げ形状に形成されている。そして、第１プロテクタ２０と第２プロテクタ５０とは、互いに隣合う状態で合体されて、車両等に組付けられ、当該車両において電気機器（例えば、バッテリ、インバータ、モータ）同士を接続する導電路を形成する。
【００２１】
第１プロテクタ２０と第２プロテクタ５０との合体は、第１プロテクタ２０に設けられた第１固定部３０が第２プロテクタ５０に設けられた第１相手側固定部６０に固定され、第１プロテクタ２０に設けられた第２固定部４０が第２プロテクタ５０に設けられた第２相手側固定部７０に固定されることによってなされる。
【００２２】
ここでは、より少ない固定箇所で、第１プロテクタ２０を第２プロテクタ５０に対してより強固に固定できるようにするための構成を説明する。また、複数の固定箇所に対する固定作業を容易に行えるようにするための構成についても説明する。
【００２３】
図７は第１プロテクタ２０を示す斜視図であり、図８は第１固定部３０を示す斜視図であり、図９は第２固定部４０を示す斜視図である。
【００２４】
図１〜図９に示すように、第１プロテクタ２０は、プロテクタ本体部２１と、プロテクタ本体部２１の両面側に設けられた２つの蓋部２２、２２とを備える。
【００２５】
プロテクタ本体部２１は、樹脂等によって形成された部材であり、配線経路に沿ってその厚み方向及び幅方向に適宜曲りつつ延在する細長板状に形成されている。プロテクタ本体部２１は、底板部２１ａの両側部において底板部２１ａの両面側に突出する一対の側壁部２１ｂが形成された構成とされている（図５参照）。
【００２６】
そして、プロテクタ本体部２１の両面側のそれぞれにおいて、底板部２１ａと一対の側壁部２１ｂとで囲まれる空間内に配線材１２が収容される。つまり、本第１プロテクタ２０は、２つの配線材１２を収容している。
【００２７】
ここで、配線材１２は、銅、銅合金、アルミニウム、アルミニウム合金等の金属板材が、車両における配線経路に応じた形状にプレス成形等されることによって形成されている。配線材１２自体は、被覆等されず、導電性部分が外部に露出したままとなっている裸導体である。かかる配線材１２は、バスバーとも呼ばれる。この配線材１２が第１プロテクタ２０内に収容されることによって、外部から絶縁される。
【００２８】
もっとも、第１プロテクタ２０の一方面側のみに配線材１２が収容されてもよい。第１プロテクタ２０内に収容される配線材は、裸導体である必要はなく、外周に被覆が施された絶縁電線等であってもよい。
【００２９】
蓋部２２、２２は、それぞれ樹脂等によって形成された部材である。一方の蓋部２２は、プロテクタ本体部２１の一方主面側に沿って延在する細長板状に形成されており、他方の蓋部２２は、プロテクタ本体部２１の他方主面側に沿って延在する細長板状に形成されている。
【００３０】
一方の蓋部２２は、プロテクタ本体部２１の一方主面側で、底板部２１ａから離れた位置で、一対の側壁部２１ｂ間の開口を塞ぎ、他方の蓋部２２は、プロテクタ本体部２１の他方主面側で、底板部２１ａから離れた位置で、一対の側壁部２１ｂ間の開口を塞ぐ（図５参照）。これにより、各配線材１２が蓋部２２によって外部から絶縁された状態で保護される。
【００３１】
この第１プロテクタ２０を全体的に見ると、曲げ部２６を介して連続する２つの長尺部２４、２５を備える。ここでは、２つの長尺部２４、２５は、厚板状の外観形状を呈しており、曲げ部２６を介して互いに厚み方向に９０度曲った状態で繋がっている。
【００３２】
なお、第１プロテクタ２０のうち２つの長尺部２４、２５に対して曲げ部２６とは反対側に連続する部分は、配線経路に応じて適宜曲ると共に、配線材１２の端部を異なる位置で露出させた状態で支持する形状に形成されている。
【００３３】
一方の長尺部２４に第１固定部３０が設けられ、他方の長尺部２５に第２固定部４０が設けられている。これらの第１固定部３０及び第２固定部４０については、第１相手側固定部６０及び第２相手側固定部７０と共に後述する。
【００３４】
図１０は第２プロテクタ５０を示す斜視図であり、図１１は第２相手側固定部７０を示す斜視図である。
【００３５】
図１〜図６、図１０及び図１１に示すように、第２プロテクタ５０は、プロテクタ本体部５１と、プロテクタ本体部５１の両面側に設けられた２つの蓋部５２、５２とを備える。
【００３６】
本第２プロテクタ５０では、上記第１プロテクタ２０と同様に、プロテクタ本体部５１の両面側のそれぞれにおいて、底板部５１ａと一対の側壁部５１ｂとで囲まれる空間内に配線材１４が収容され、また、その外側開口が蓋部５２、５２によって塞がれる。つまり、第２プロテクタ５０も、その両面側に配線材１４、１４を収容している（図５参照）。なお、ここでは、プロテクタ本体部５１の一方の主面の蓋部５２の一部は、プロテクタ本体部５１とは別体に形成され、他の一部はプロテクタ本体部５１に対してヒンジを介して開閉可能に連結されている。
【００３７】
なお、配線材１４は、上記配線材１２と同様に、銅、銅合金、アルミニウム、アルミニウム合金等の金属板材が、車両における配線経路に応じた形状にプレス成形等されることによって形成されている。なお、第２プロテクタ５０の一方面側のみに配線材１４が収容されてもよい。また、第２プロテクタ５０内に収容される配線材は、裸導体である必要はなく、外周に被覆が施された絶縁電線等であってもよい。
【００３８】
この第２プロテクタ５０を全体的に見ると、曲げ部５６を介して連続する２つの長尺部５４、５５を備える。ここでは、２つの長尺部５４、５５は、厚板状の外観形状を呈しており、曲げ部５６を介して互いに厚み方向に９０度曲った状態で繋がっている。
【００３９】
そして、第１プロテクタ２０の曲げ部２６と第２プロテクタ５０の曲げ部５６とを間隔をあけて隣合う位置に配設し、第１プロテクタ２０の一方の長尺部２４と第２プロテクタ５０の一方の長尺部５４とを並行状態に並べると共に、第１プロテクタ２０の他方の長尺部２５と第２プロテクタ５０の他方の長尺部５５とを並行状態に並べた状態で、第１プロテクタ２０と第２プロテクタ５０とが合体するようになっている。
【００４０】
なお、第２プロテクタ５０のうち２つの長尺部５４、５５に対して曲げ部５６とは反対側に連続する部分は、配線経路に応じて適宜曲ると共に、配線材１４の端部を異なる位置で露出させた状態で支持する形状に形成されている。
【００４１】
第１プロテクタ２０のうち２つの長尺部２４、２５が曲げ部２６を介して連続する部分と、第２プロテクタ５０のうち２つの長尺部５４、５５が曲げ部５６を介して連続する部分とが、同様の経路を描いて並列状態に配設可能であればよく、その他の部分は如何なる方向に延在していてもよい。
【００４２】
一方の長尺部５４に第１相手側固定部６０が設けられ、他方の長尺部５５に第２相手側固定部７０が設けられている。
【００４３】
主に図１、図３、図４、図７、図８及び図１０を参照しつつ、第１プロテクタ２０の一方側の長尺部２４の第１固定部３０と第２プロテクタ５０の一方側の長尺部５４の第１相手側固定部６０とについて説明する。
【００４４】
第１固定部３０と第１相手側固定部６０とは互いに固定可能に構成されている。
【００４５】
本実施形態においては、第１固定部３０と第１相手側固定部６０の一方がスライド受部であり、他方がスライド挿入部とされている。ここでは、第１固定部３０がスライド受部３０とされ、第１相手側固定部６０がスライド挿入部６０とされている。なお、逆に、第１固定部がスライド挿入部であり、第１相手側固定部がスライド受部であってもよい。
【００４６】
スライド受部３０は、スライド挿入部６０をスライド挿入可能なスライド溝３１が形成された構成とされている。
【００４７】
より具体的には、スライド受部３０は、長尺部２４の一側面に突出形成された部分であり、止部３２と、一側スライドガイド部３３と、他側スライドガイド部３４とを備え、スライド溝３１は、これらの止部３２、一側スライドガイド部３３及び他側スライドガイド部３４によって囲まれることによって形成されている（図８参照）。
【００４８】
止部３２は、長尺部２４の一側面において、当該長尺部２４の延在方向に対して直交する方向に突出する板状部分である。この止部３２は、スライド溝３１に挿入されたスライド挿入部６０を最終的に受けて止める役割を果す。
【００４９】
一側スライドガイド部３３は、長尺部２４の一側面において、スライド溝３１に対するスライド挿入部６０の挿入方向一側に突設されている。一側スライドガイド部３３は、長尺部２４の一側面から突出する側部３３ａと、側部３３ａの突出端部から側方に突出する天井部３３ｂとを備える。側部３３ａは、長尺部２４の一側面に対して直交すると共に長尺部２４の延在方向に沿う板状部分に形成されている。この側部３３ａは、スライド挿入部６０をスライド挿入する際に、スライド挿入部６０の一側部に当接し、当該一側方向への移動を規制する役割を果す。天井部３３ｂは、スライド挿入部６０に対して長尺部２４の一側面とは反対側から当接し、スライド挿入部６０が長尺部２４から離れる方向に移動することを規制する役割を果す。
【００５０】
上記止部３２は、スライド挿入部６０のスライド挿入方向（長尺部２４の延在方向）において、一側スライドガイド部３３の端部開口を塞ぐように、一側スライドガイド部３３と一体形成されている。
【００５１】
他側スライドガイド部３４は、長尺部２４の一側面において、スライド溝３１に対するスライド挿入部６０の挿入方向他側に突設されている。他側スライドガイド部３４は、長尺部２４の一側面に対して直交すると共に長尺部２４の延在方向に沿う板状部分に形成されている。この他側スライドガイド部３４は、上記一側スライドガイド部３３の側部３３ａに対して間隔を隔てて設けられている。一側スライドガイド部３３の側部３３ａと他側スライドガイド部３４との間には、スライド挿入部６０のスライド体６４との幅寸法と同じ寸法の隙間が設けられている。この他側スライドガイド部３４は、スライド挿入部６０をスライド挿入する際に、スライド挿入部６０の他側部に当接し、当該他側方向への移動を規制する役割を果す。この他側スライドガイド部３４には、上記一側スライドガイド部３３の天井部３３ｂに対応する構成は設けられていない。
【００５２】
本スライド受部３０を、一側スライドガイド部３３と他側スライドガイド部３４とを結ぶ方向、即ち、スライド受部３０の側方から観察すると、一側スライドガイド部３３と他側スライドガイド部３４とは排他的な位置に設けられている。換言すると、一側スライドガイド部３３は、スライド受部３０におけるスライド挿入部６０の挿入方向の一部に設けられ、他側スライドガイド部３４は、スライド受部３０におけるスライド挿入部６０の挿入方向の残部に設けられている。
【００５３】
このため、本スライド受部３０を容易に金型成形できる。すなわち、一側スライドガイド部３３と他側スライドガイド部３４とは、スライド受部３０との幅方向において重なっていない。このため、スライド受部３０の幅方向両側から観察すると、スライド受部３０の各表面は、面状又は線状に観察可能である。従って、スライド受部３０の幅方向を金型成形時の金型の離型方向とした場合に、アンダーカットとなる部分を極力なくすることができる。このため、金型成形時の制約が少なく、本スライド受部３０を容易に金型成形することができる。また、第１プロテクタ２０の他の部分と共に金型一体成形することも容易となる。
【００５４】
スライド挿入部６０は、第２プロテクタ５０の長尺部５４のうち、上記スライド受部３０と対向する側面に一体形成された部分であり、スライド溝３１にスライド挿入される部分である。
【００５５】
スライド挿入部６０は、長尺部５４の側面から突出する支持部６２と、支持部６２の先端部に一体形成されたスライド体６４とを備える。
【００５６】
支持部６２は、長尺部５４の側面に直交しかつ長尺部５４の延在方向に沿う板状に形成されている。支持部６２の突出寸法は、第１プロテクタ２０と第２プロテクタ５０との合体状態において、長尺部２４、５４の間隔寸法に応じて設定される。
【００５７】
スライド体６４は、上記支持部６２の先端部から側方に突出するように形成されている。ここでは、スライド体６４は、支持部６２の先端部からその一側方に突出する板状に形成されている。スライド体６４は、長尺部５４の側面に沿って配設されている。スライド体６４の幅寸法は、一側スライドガイド部３３の側部３３ａと他側スライドガイド部３４との間隔寸法と同じに設定されている。また、スライド体６４の厚み寸法は、長尺部５４の側面と天井部３３ｂとの間の間隔寸法と同じに設定されている。また、スライド挿入部６０の挿入方向におけるスライド体６４の長さ寸法は、同方向における一側スライドガイド部３３の長さ寸法を超えることが好ましい。ここでは、スライド挿入部６０のスライド挿入方向におけるスライド体６４の長さ寸法は、同方向における一側スライドガイド部３３の長さ寸法と他側スライドガイド部３４との長さ寸法との和と同じに設定されている（図４参照）。
【００５８】
上記スライド挿入部６０は、次のようにしてスライド受部３０に挿入される。
【００５９】
すなわち、スライド体６４の外向き面を長尺部２４の側面に押し当てると共に、スライド体６４の他側部を他側スライドガイド部３４に押し当てるようにして、スライド挿入部６０のスライド体６４をスライド受部３０に挿入する。スライド体６４をさらに奥に挿入すると、スライド体６４の一側部が一側スライドガイド部３３の側部３３ａに当接すると共に、スライド体６４の内向き面が天井部３３ｂに当接するようになる。スライド体６４をさらに挿入すると、スライド体６４は、一側スライドガイド部３３の側部３３ａ及び他側スライドガイド部３４に接しつつスライド挿入され、最終的には、スライド体６４が止部３２に当接してそれ以上の挿入が止められた状態となる。この状態では、スライド体６４の一側部が一側スライドガイド部３３の側部３３ａに当接すると共に、他側部が他側スライドガイド部３４に当接し、これらの接触によりスライド体６４の幅方向への移動が規制される。また、スライド体６４が天井部３３ｂに当接することによって、長尺部２４から離れる方向への移動が規制される。なお、スライド受部に、スライド体６４を抜止め係止する突起が形成されていてもよい。
【００６０】
次に、主に図１、図５、図６、図７、図９〜図１１を参照しつつ、第１プロテクタ２０の他方側の長尺部２５の第２固定部４０と第２プロテクタ５０の他方側の長尺部５５の第２相手側固定部７０とについて説明する。
【００６１】
第２固定部４０と第２相手側固定部７０とは互いに固定可能に構成されている。
【００６２】
本実施形態においては、第２固定部４０と第２相手側固定部７０の一方がロック受部であり、他方がロック部とされている。ここでは、第２固定部４０がロック部４０であり、第２相手側固定部７０がロック受部７０とされている。なお、逆に、第２固定部がロック受部であり、第２固定部がロック部であってもよい。
【００６３】
ロック部４０は、ロック爪部４２と、ロックガイド部４４とを備える。
【００６４】
ロック爪部４２は、他方の長尺部２５の側面から延出するように形成されている。ロック爪部４２は、長尺部２５の側面の幅方向に沿って延在している。長尺部２４と長尺部２５とは直交しているので、ロック爪部４２は、スライド挿入部６０のスライド移動方向に沿って延在している。ロック爪部４２は、スライド受部３０に対するスライド挿入部６０のスライド移動方向一方側を向いて長尺部２５の側面から徐々に離れるように、長尺部２５の側面に対して傾いて延出している。ロック爪部４２は、スライド挿入部６０のスライド挿入方向において第１固定部３０であるスライド受部３０とは反対側を向いている。ロック爪部４２の先端部の外向き部分には、内側に凹む係止凹部４２ａが形成されており、この係止凹部４２ａがロック受部７０の突部７４ａに係止する。
【００６５】
ロックガイド部４４は、他方の長尺部２５の側面から突出する部分であり、ロック爪部４２の両端側に、当該ロック爪部４２と間隔をあけて一対設けられている。ロックガイド部４４には、長尺部２５の側面に沿って凹むロックガイド溝４４ｇが形成されている（図９参照）。ロックガイド溝４４ｇは、長尺部２５の側面から離れる位置で、当該側面に沿って凹む溝状に形成されている。ロックガイド溝４４ｇは、ロック爪部４２の基端側向けて開口しており、ロック爪部４２の先端側では閉じられている。
【００６６】
ロック受部７０は、他方の長尺部５５の側面から突出して形成された部分であり、支持壁部７２と、ロック突部７４とを備える。
【００６７】
支持壁部７２は、支持板部７２ａと、支持側部７２ｂとを備える。支持板部７２ａは、長尺部５５の側面の幅方向、即ち、スライド挿入部６０のスライド挿入方向に対して直交する姿勢で長尺部５５の側面から突出して形成された部分である。支持側部７２ｂは、支持壁部７２の両側部及び長尺部５５の側面に対して直交する姿勢で突出する板状部分である。
【００６８】
ロック突部７４は、支持板部７２ａの突出端部の一方面側から、上記支持側部７２ｂが突出する方向と同方向に突出している。すなわち、ロック突部７４は、スライド挿入部６０のスライド挿入方向に沿って突出している。
【００６９】
ロック突部７４は、長尺部５５の側面と同一方向に沿って偏平な板状に形成されている。ロック突部７４の幅方向中央部は、その両側部よりも厚く形成されている。
【００７０】
ロック突部７４の両側部は、上記ロックガイド溝４４ｇに挿入可能な程度の厚み寸法（ロックガイド溝４４ｇの開口幅と同じ寸法）に設定されている。
【００７１】
また、ロック突部７４の外向き部分には、スライド挿入部６０のスライド挿入方向に沿ってロック受溝７４ｇが形成されている（図６参照）。ロック受溝７４ｇの幅寸法は、ロック爪部４２の先端部の幅寸法と同じに設定されている。ロック受溝７４ｇの延在方向は、ロック突部７４の突出方向と一致しており、従って、スライド挿入部６０のスライド挿入方向に沿っている。また、ロック受溝７４ｇの一端部には、外側に向けて突出する突部７４ａが突設されている。
【００７２】
ロック部４０とロック受部７０との係止固定は次のようになされる。
【００７３】
すなわち、ロック受部７０に対してロック部４０を、スライド挿入部６０のスライド挿入方向に沿って押込む。すると、ロック受部７０のロック突部７４の両側部がロック部４０のロックガイド溝４４ｇに嵌め込まれる。ロック部４０をさらに押込むと、ロック突部７４の両側部がロックガイド溝４４ｇに移動可能に挿入される。これにより、ロック爪部４２が、ロック受部７０が設けられた長尺部５５の側面に対して一定距離を保ち、かつ、ロック受部７０に対して幅方向一定位置を保つ状態が維持される。
【００７４】
ロック部４０をさらに押込むと、ロック爪部４２がロック受溝７４ｇ内に挿入される。つまり、ロック爪部４２の外向き面がロック受溝７４ｇの端部の周縁部に押付けられる。これにより、ロック爪部４２の先端部が長尺部２４側に弾性変形する。ロック部４０をさらに押込むと、ロック爪部４２の先端部がロック受溝７４ｇ内をその底部に接しつつ移動し、突部７４ａを乗越えると、ロック爪部４２が弾性復帰し元の形状に戻ろうとする。これにより、突部７４ａがロック爪部４２の先端部の係止凹部４２ａに係止し、ロック部４０とロック受部７０とが係止固定された状態となる。
【００７５】
上記スライド受部３０及びスライド挿入部６０と、ロック部４０とロック受部７０とは、第１プロテクタ２０と第２プロテクタ５０とを合体させた状態で、同時に固定可能な位置関係で設けられている。特に、スライド受部３０に対してスライド挿入部６０をスライド挿入する際、及び、ロック部４０をロック受部７０に押込む際に、次の関係が成立するような位置関係で、上記スライド受部３０及びスライド挿入部６０と、ロック部４０とロック受部７０とが、第１プロテクタ２０、第２プロテクタ５０に設けられている。
【００７６】
これを図１２〜図１４を参照して説明する。なお、図１２〜図１４では、説明の便宜上、スライド受部３０及びスライド挿入部６０の配設箇所と、ロック部４０とロック受部７０の配設箇所との間を単純化して描いている。
【００７７】
すなわち、図１２に示すように、まず、スライド受部３０に対してスライド挿入部６０をスライド挿入する。この際、スライド挿入部６０のスライド体６４が、スライド受部３０のスライド溝３１のうち止部３２とは反対側の端部に挿入される。つまり、スライド体６４が長尺部２４の側面及び他側スライドガイド部３４に接触し始める状態となる。ここでは、スライド挿入部６０の挿入側端部は、スライド体６４のうちスライド溝３１の奥側（止部３２側）の部分である。この状態では、ロック部４０は、ロック受部７０の手前に位置しており、ロック部４０はロック受部７０に押し当てられていない。
【００７８】
この後、スライド挿入部６０をさらに押込むと、図１３に示すように、ロック突部７４の両側部がロックガイド溝４４ｇに挿入される。ここでは、このロック部４０の押込側端部の位置は、ロックガイド溝４４ｇの開口端部の位置である。そして、ロック突部７４の両側部がロックガイド溝４４ｇに挿入された後、ロック爪部４２がロック受溝７４ｇ内に挿入される。
【００７９】
そして、さらに、スライド挿入部６０及びロック部４０を押込むと、図１４に示すように、スライド挿入部６０のスライド体６４が止部３２に接触するまでスライド溝３１内に挿入されると共に、ロック部４０のロック爪部４２がロック受部７０の突部７４ａに抜止め係止した状態となる。これにより、スライド挿入部６０とスライド受部３０とが相互に固定されると共に、ロック部４０とロック受部７０とが相互に固定され、第１プロテクタ２０と第２プロテクタ５０とが合体状態に維持される。
【００８０】
ここでは、上記位置関係を成立させるため、スライド溝３１の長さ寸法を、ロックガイド溝４４ｇの長さ寸法よりも大きく設定した上で、ロック受部７０の押込側端部（ロックガイド溝４４ｇの挿入側開口端部）がロック部４０に接触するタイミング（押込開始タイミング）より、スライド受部３０の挿入側端部（スライド溝３１の挿入側開口端部）がスライド体６４に接触するタイミング（挿入開始タイミング）が先となるように、各押込端部及び挿入側の端部の位置を設定すればよい。
【００８１】
以上のように構成されたプロテクタ１８及びプロテクタ付配線モジュール１０によると、第１プロテクタ２０と第２プロテクタ５０とは、第１固定部３０であるスライド受部３０と第１相手側固定部６０であるスライド挿入部６０との固定構造、及び、第２固定部４０であるロック部４０と第２相手側固定部７０であるロック受部７０との固定構造を介して固定される。しかも、スライド受部３０とスライド挿入部６０との固定位置は、２つの長尺部２４、２５の他方の長尺部２５の延在方向から側方にずれた位置に配設される。このため、他方の長尺部２５を傾けるような力が作用すると、当該力はスライド受部３０とスライド挿入部６０との固定構造によって効果的に受止められる。また、ロック部４０とロック受部７０との固定位置は、２つの長尺部２４、２５の一方の長尺部２４の延在方向から側方にずれた位置に配設される。このため、一方の長尺部２４を傾けるような力が作用すると、当該力はロック部４０とロック受部７０との固定構造によって効果的に受止められる。このため、第１プロテクタ２０を第２プロテクタ５０に対してなるべく高い強度で固定でき、全体として高剛性なプロテクタ１８を得ることができる。また、第１プロテクタ２０と第２プロテクタ５０との間のがたつきも有効に抑制できる。
【００８２】
また、第１プロテクタ２０と第２プロテクタ５０とを一体化できるため、その一体化後には、それらを１つの部品として取扱うことができ、保管及び管理上便利となる。
【００８３】
また、上記第１プロテクタ２０と第２プロテクタ５０との合体構造は、２つの固定構造だけによって実現可能である。このため、なるべく少ない固定構造によって、第１プロテクタ２０と第２プロテクタ５０とをなるべく高い強度で固定できる。
【００８４】
もっとも、第１プロテクタ２０と第２プロテクタ５０とが上記２つの固定構造を含み、これとは別に追加された固定構造をも用いて合体していてもよい。
【００８５】
また、ここでは、第２プロテクタ５０も、２つの長尺部５４、５５が曲げ部５６を介して連結された構成とされている。このため、第１プロテクタ２０と第２プロテクタ５０とをほぼ同じ経路に沿って配設しつつ、両者をより強固に固定できる。
【００８６】
もっとも、第２プロテクタは、上記のように曲っている必要はなく、上記第１プロテクタ２０の第１固定部３０及び第２固定部４０を固定可能な場所に、第１相手側固定部６０及び第２相手側固定部７０を有していればよく、平たい筺状の形状等であってもよい。
【００８７】
また、上記のように、スライド受部３０のスライド溝３１に対するスライド挿入部６０のスライド体６４の挿入を開始した後、ロック受部７０に対するロック部４０の押込がなされる。このため、スライド受部３０に対するスライド挿入部６０の挿入作業と、ロック受部７０に対するロック部４０の押込作業とを別々のタイミングで行える。これにより、スライド受部３０に対するスライド挿入部６０の位置決め作業を容易に行えると共に、ロック受部７０に対するロック部４０の位置決め作業を容易に行える。
【００８８】
しかも、スライド挿入部６０をスライド受部３０に挿入して第１プロテクタ２０と第２プロテクタ５０とがある程度位置決めされた状態で、ロック受部７０に対するロック部４０の押込作業を実施できるため、当該ロック部４０の押込作業を容易に行える。
【００８９】
なお、ロック受部７０に対するロック部４０の押込作業が開始された後、スライド受部３０のスライド溝３１に対するスライド挿入部６０のスライド体６４の挿入が開始される構成であってもよい。この場合、スライド溝の長さ寸法を、ロックガイド溝の長さ寸法よりも小さく設定した上で、ロック受部の押込側端部（ロックガイド溝の挿入側開口端部）がロック部に接触した後で、スライド受部の挿入側端部（スライド溝の挿入側開口端部）がスライド体に接触するように、各押込端部及び挿入側の端部の位置を設定すればよい。
【００９０】
もっとも、第１固定部３０、第２固定部４０、第１相手側固定部６０及び第２相手側固定部７０が上記構成であることは必須ではない。第１固定部及び第２固定部の双方が、第１相手側固定部及び第２相手側固定部に抜止状態にロックする構造であってもよい。
【００９１】
また、一側スライドガイド部３３と他側スライドガイド部３４とは、スライド挿入方向において排他的な位置に形成されているため、スライド受部３０を容易に金型成形することができる。
【００９２】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９３】
１０    プロテクタ付配線モジュール
１２、１４    配線材
１８    プロテクタ
２０    第１プロテクタ
２４    長尺部
２５    長尺部
２６    曲げ部
３０    スライド受部（第１固定部）
３１    スライド溝
３３    一側スライドガイド部
３４    他側スライドガイド部
４０    ロック部（第２固定部）
４２    ロック爪部
４４ｇ  ロックガイド溝
５０    第２プロテクタ
５４    長尺部
５５    長尺部
５６    曲げ部
６０    スライド挿入部（第１相手側固定部）
６４    スライド体
７０    ロック受部（第２相手側固定部）
７４ａ  突部
７４ｇ  ロック受溝  
【図１】
2016185016.tif 000003
【図２】
2016185016.tif 000004
【図３】
2016185016.tif 000005
【図４】
2016185016.tif 000006
【図５】
2016185016.tif 000007
【図６】
2016185016.tif 000008
【図７】
2016185016.tif 000009
【図８】
2016185016.tif 000010
【図９】
2016185016.tif 000011
【図１０】
2016185016.tif 000012
【図１１】
2016185016.tif 000013
【図１２】
2016185016.tif 000014
【図１３】
2016185016.tif 000015
【図１４】
2016185016.tif 000016